(57)【要約】【課題】  この発明は、予め設定された時刻になったときに映像の明るさおよび音量を自動的に減少させることができるテレビジョン受像機を提供することを目的とする。【解決手段】  映像の明るさおよび音量を一定量だけ減少させる時刻を設定するための第１設定手段、映像の明るさの減少量を設定するための第２設定手段、音量の減少値を設定するための第３設定手段、ならびに現在時刻が第１設定手段によって設定されている時刻になったときに、映像の明るさを第２設定手段によって設定されている減少量だけ減少させるとともに、音量を第３設定手段によって設定された減少量だけ減少させる手段を備えている。【選択図】  図１
2006340249.tif 000002
【特許請求の範囲】
【請求項１】
映像の明るさおよび音量を一定量だけ減少させる時刻を設定するための第１設定手段、
映像の明るさの減少量を設定するための第２設定手段、
音量の減少値を設定するための第３設定手段、ならびに
現在時刻が第１設定手段によって設定されている時刻になったときに、映像の明るさを第２設定手段によって設定されている減少量だけ減少させるとともに、音量を第３設定手段によって設定された減少量だけ減少させる手段、
を備えていることを特徴とするテレビジョン受像機。
【請求項２】
映像の明るさおよび音量を一定量だけ減少させる時間帯を設定するための第１設定手段、
映像の明るさの減少量を設定するための第２設定手段、
音量の減少値を設定するための第３設定手段、
現在時刻が第１設定手段によって設定されている時間帯内になったときに、映像の明るさを第２設定手段によって設定されている減少量だけ減少させるとともに、音量を第３設定手段によって設定された減少量だけ減少させる第１制御手段、ならびに
現在時刻が第１設定手段によって設定されている時間帯外になったときに、映像の明るさおよび音量を第１制御手段によって減少せしめられる前の状態に戻す第２制御手段、
を備えていることを特徴とするテレビジョン受像機。
【請求項３】
映像の明るさおよび音量を一定量だけ減少させるための制御キー、
映像の明るさの減少量を設定するための第１設定手段、
音量の減少値を設定するための第２設定手段、ならびに
制御キーが操作されたときに、映像の明るさを第１設定手段によって設定されている減少量だけ減少させるとともに、音量を第２設定手段によって設定された減少量だけ減少させる手段、
を備えていることを特徴とするテレビジョン受像機。
【請求項４】
映像の明るさおよび音量の制御モードとして、通常状態の第１モードと、映像の明るさおよび音量が一定量だけ減少せしめられている状態の第２モードとがあり、第１モードと第２モードとを切り換えるためのモード切り換えキー、
映像の明るさの減少量を設定するための第１設定手段、
音量の減少値を設定するための第２設定手段、
制御モードが第１モードである場合にモード切り換えキーが操作されたときに、制御モードを第２モードに切り換え、映像の明るさを第１設定手段によって設定されている減少量だけ減少させるとともに、音量を第２設定手段によって設定された減少量だけ減少させる第１制御手段、ならびに
制御モードが第２モードである場合にモード切り換えキーが操作されたときに、制御モードを第１モードに切り換え、映像の明るさおよび音量を直前の第２モードに制御モードが切り換えられる前の状態に戻す第２制御手段、
を備えていることを特徴とするテレビジョン受像機。
【請求項５】
映像の明るさおよび音量の制御モードとして、通常状態の第１モードと、映像の明るさおよび音量が一定量だけ減少せしめられている状態の第２モードとがあり、第１モードと第２モードとを切り換えるためのモード切り換えキー、
制御モードを第２モードにさせる時間帯を設定するための第１設定手段、
映像の明るさの減少量を設定するための第２設定手段、
音量の減少値を設定するための第３設定手段、
制御モードが第１モードである場合にモード切り換えキーが操作されたときに、制御モードを第２モードに切り換え、映像の明るさを第２設定手段によって設定されている減少量だけ減少させるとともに、音量を第３設定手段によって設定された減少量だけ減少させる第１制御手段、
現在時刻が第１設定手段によって設定されている時間帯内になったときに、制御モードが第１モードである場合には、制御モードを第２モードに切り換え、映像の明るさを第２設定手段によって設定されている減少量だけ減少させるとともに、音量を第３設定手段によって設定された減少量だけ減少させる第２制御手段、
制御モードが第２モードである場合にモード切り換えキーが操作されたときに、制御モードを第１モードに切り換え、映像の明るさおよび音量を直前の第２モードに制御モードが切り換えられる前の状態に戻す第３制御手段、ならびに
現在時刻が第１設定手段によって設定されている時間帯外になったときに、制御モードが第１モードである場合には、制御モードを第２モードに切り換え、映像の明るさおよび音量を直前の第２モードに制御モードが切り換えられる前の状態に戻す第４制御手段、
を備えていることを特徴とするテレビジョン受像機。
【請求項６】
映像の明るさおよび音量の制御モードとして、通常状態の第１モードと、映像の明るさおよび音量が一定量だけ減少せしめられている状態の第２モードとがあり、第１モードと第２モードとを切り換えるためのモード切り換えキー、
制御モードを第２モードにさせる時間帯を設定するための第１設定手段、
映像の明るさの減少量を設定するための第２設定手段、
音量の減少値を設定するための第３設定手段、
制御モードが第１モードである場合にモード切り換えキーが操作されたときに、制御モードを第２モードに切り換え、映像の明るさを第２設定手段によって設定されている減少量だけ減少させるとともに、音量を第３設定手段によって設定された減少量だけ減少させる第１制御手段、
現在時刻が第１設定手段によって設定されている時間帯内になったときに、制御モードが第１モードである場合には、制御モードを第２モードに切り換え、映像の明るさを第２設定手段によって設定されている減少量だけ減少させるとともに、音量を第３設定手段によって設定された減少量だけ減少させる第２制御手段、
制御モードが第２モードである場合にモード切り換えキーが操作されたときに、制御モードを第１モードに切り換え、映像の明るさおよび音量を直前の第２モードに制御モードが切り換えられる前の状態に戻す第３制御手段、ならびに
現在時刻が第１設定手段によって設定されている時間帯外になったときに、制御モードが第２モードである場合には、制御モードが第１制御手段によって第２モードに設定されているか、制御モードが第２制御手段によって第２モードに設定されているかを判別し、制御モードが第２制御手段によって第２モードに設定されていると判別した場合にのみ、制御モードを第１モードに切り換え、映像の明るさおよび音量を直前の第２モードに制御モードが切り換えられる前の状態に戻す第４制御手段、
を備えていることを特徴とするテレビジョン受像機。
【発明の詳細な説明】
【技術分野】
【０００１】
この発明は、テレビジョン受像機に関する。
【背景技術】
【０００２】
テレビジョン受像機でテレビ番組を視聴する場合、昼間と周囲が静かな夜間との間で、映像の明るさ（画面の明るさ）や音量を変更したいと感じることがよくある。特に近年の液晶ディスプレイまたはプラズマディスプレイを備えたテレビジョン受像機のように、高輝度、高画質のテレビジョン受像機では、夜間に映像の明るさや音量を少し小さめに調整したいと感じることが多い。
【０００３】
このような場合、従来のテレビジョン受像機では、ユーザは、自らの操作により、音量を下げたり、映像メニューのバックライトの調整画面上で映像の明るさを下げたりする必要がある。また、夜間から昼間になったときには、ユーザは映像の明るさや音量を再度調整しなおす必要がある。
【０００４】
ところで、特開２０００−１１５６４９号公報には、消費電力を削減する目的で、ユーザの視聴時刻や季節に応じて、映像の明るさおよび音量をある一定値以下に制限する方法が提案されているが、例えば夜間に映像の明るさや音量を自動的に一定量減少させるといったことは行なわれてない。
【特許文献１】特開２０００−１１５６４９号公報
【発明の開示】
【発明が解決しようとする課題】
【０００５】
この発明は、予め設定された時刻になったときに映像の明るさおよび音量を自動的に減少させることができるテレビジョン受像機を提供することを目的とする。
【０００６】
また、この発明は、時間帯に応じて映像の明るさおよび音量を自動的に減少させたり、元の状態に戻したりすることができるテレビジョン受像機を提供することを目的とする。      
【０００７】
また、この発明は、単一のキー操作によって、映像の明るさおよび音量を減少させることができるテレビジョン受像機を提供することを目的とする。
【０００８】
また、この発明は、単一のキー操作によって、映像の明るさおよび音量を減少させたり、元の状態に戻したりすることができるテレビジョン受像機を提供することを目的とする。
【０００９】
また、この発明は、単一のキー操作によって、映像の明るさおよび音量を減少させたり、元の状態に戻したりすることができるとともに、時間帯に応じて映像の明るさおよび音量を自動的に減少させたり、元の状態に戻したりすることができるテレビジョン受像機を提供することを目的とする。
【課題を解決するための手段】
【００１０】
請求項１に記載の発明は、映像の明るさおよび音量を一定量だけ減少させる時刻を設定するための第１設定手段、映像の明るさの減少量を設定するための第２設定手段、音量の減少値を設定するための第３設定手段、ならびに現在時刻が第１設定手段によって設定されている時刻になったときに、映像の明るさを第２設定手段によって設定されている減少量だけ減少させるとともに、音量を第３設定手段によって設定された減少量だけ減少させる手段を備えていることを特徴とする。
【００１１】
請求項２に記載の発明は、映像の明るさおよび音量を一定量だけ減少させる時間帯を設定するための第１設定手段、映像の明るさの減少量を設定するための第２設定手段、音量の減少値を設定するための第３設定手段、現在時刻が第１設定手段によって設定されている時間帯内になったときに、映像の明るさを第２設定手段によって設定されている減少量だけ減少させるとともに、音量を第３設定手段によって設定された減少量だけ減少させる第１制御手段、ならびに現在時刻が第１設定手段によって設定されている時間帯外になったときに、映像の明るさおよび音量を第１制御手段によって減少せしめられる前の状態に戻す第２制御手段を備えていることを特徴とする。
【００１２】
請求項３に記載の発明は、映像の明るさおよび音量を一定量だけ減少させるための制御キー、映像の明るさの減少量を設定するための第１設定手段、音量の減少値を設定するための第２設定手段、ならびに制御キーが操作されたときに、映像の明るさを第１設定手段によって設定されている減少量だけ減少させるとともに、音量を第２設定手段によって設定された減少量だけ減少させる手段を備えていることを特徴とする。
【００１３】
請求項４に記載の発明は、映像の明るさおよび音量の制御モードとして、通常状態の第１モードと、映像の明るさおよび音量が一定量だけ減少せしめられている状態の第２モードとがあり、第１モードと第２モードとを切り換えるためのモード切り換えキー、映像の明るさの減少量を設定するための第１設定手段、音量の減少値を設定するための第２設定手段、制御モードが第１モードである場合にモード切り換えキーが操作されたときに、制御モードを第２モードに切り換え、映像の明るさを第１設定手段によって設定されている減少量だけ減少させるとともに、音量を第２設定手段によって設定された減少量だけ減少させる第１制御手段、ならびに制御モードが第２モードである場合にモード切り換えキーが操作されたときに、制御モードを第１モードに切り換え、映像の明るさおよび音量を直前の第２モードに制御モードが切り換えられる前の状態に戻す第２制御手段を備えていることを特徴とする。
【００１４】
請求項５に記載の発明は、映像の明るさおよび音量の制御モードとして、通常状態の第１モードと、映像の明るさおよび音量が一定量だけ減少せしめられている状態の第２モードとがあり、第１モードと第２モードとを切り換えるためのモード切り換えキー、制御モードを第２モードにさせる時間帯を設定するための第１設定手段、映像の明るさの減少量を設定するための第２設定手段、音量の減少値を設定するための第３設定手段、制御モードが第１モードである場合にモード切り換えキーが操作されたときに、制御モードを第２モードに切り換え、映像の明るさを第２設定手段によって設定されている減少量だけ減少させるとともに、音量を第３設定手段によって設定された減少量だけ減少させる第１制御手段、現在時刻が第１設定手段によって設定されている時間帯内になったときに、制御モードが第１モードである場合には、制御モードを第２モードに切り換え、映像の明るさを第２設定手段によって設定されている減少量だけ減少させるとともに、音量を第３設定手段によって設定された減少量だけ減少させる第２制御手段、制御モードが第２モードである場合にモード切り換えキーが操作されたときに、制御モードを第１モードに切り換え、映像の明るさおよび音量を直前の第２モードに制御モードが切り換えられる前の状態に戻す第３制御手段、ならびに現在時刻が第１設定手段によって設定されている時間帯外になったときに、制御モードが第１モードである場合には、制御モードを第２モードに切り換え、映像の明るさおよび音量を直前の第２モードに制御モードが切り換えられる前の状態に戻す第４制御手段を備えていることを特徴とする。
【００１５】
請求項６に記載の発明は、映像の明るさおよび音量の制御モードとして、通常状態の第１モードと、映像の明るさおよび音量が一定量だけ減少せしめられている状態の第２モードとがあり、第１モードと第２モードとを切り換えるためのモード切り換えキー、制御モードを第２モードにさせる時間帯を設定するための第１設定手段、映像の明るさの減少量を設定するための第２設定手段、音量の減少値を設定するための第３設定手段、制御モードが第１モードである場合にモード切り換えキーが操作されたときに、制御モードを第２モードに切り換え、映像の明るさを第２設定手段によって設定されている減少量だけ減少させるとともに、音量を第３設定手段によって設定された減少量だけ減少させる第１制御手段、現在時刻が第１設定手段によって設定されている時間帯内になったときに、制御モードが第１モードである場合には、制御モードを第２モードに切り換え、映像の明るさを第２設定手段によって設定されている減少量だけ減少させるとともに、音量を第３設定手段によって設定された減少量だけ減少させる第２制御手段、制御モードが第２モードである場合にモード切り換えキーが操作されたときに、制御モードを第１モードに切り換え、映像の明るさおよび音量を直前の第２モードに制御モードが切り換えられる前の状態に戻す第３制御手段、ならびに現在時刻が第１設定手段によって設定されている時間帯外になったときに、制御モードが第２モードである場合には、制御モードが第１制御手段によって第２モードに設定されているか、制御モードが第２制御手段によって第２モードに設定されているかを判別し、制御モードが第２制御手段によって第２モードに設定されていると判別した場合にのみ、制御モードを第１モードに切り換え、映像の明るさおよび音量を直前の第２モードに制御モードが切り換えられる前の状態に戻す第４制御手段を備えていることを特徴とする。
【発明の効果】
【００１６】
この発明によれば、予め設定された時刻になったときに映像の明るさおよび音量を自動的に減少させることができるようになる。
【００１７】
また、この発明によれば、時間帯に応じて映像の明るさおよび音量を自動的に減少させたり、元の状態に戻したりすることができるようになる。
【００１８】
また、この発明によれば、単一のキー操作によって、映像の明るさおよび音量を減少させることができるようになる。
【００１９】
また、この発明によれば、単一のキー操作によって、映像の明るさおよび音量を減少させたり、元の状態に戻したりすることができるようになる。
【００２０】
また、この発明によれば、単一のキー操作によって、映像の明るさおよび音量を減少させたり、元の状態に戻したりすることができるとともに、時間帯に応じて映像の明るさおよび音量を自動的に減少させたり、元の状態に戻したりすることができるようになる。
【発明を実施するための最良の形態】
【００２１】
以下、図面を参照して、この発明を液晶ディスプレイを備えたテレビジョン受像機に適用した場合の実施例について説明する。
【実施例１】
【００２２】
図１は、液晶ディスプレイを備えたテレビジョン受像機の構成を示している。
【００２３】
アナログ用アンテナ１で受信された放送信号は、地上波アナログチューナ２に送られる。地上波アナログチューナ２はマイコン１０からの選局情報に基づいて、選局動作を行う。地上波アナログチューナ２によって得られた映像信号は、ビデオ信号処理回路３に送られる。ビデオ信号処理回路３では、地上波アナログチューナ２によって得られた映像信号に、マイコン１０内のＯＳＤ回路１２によって生成されたＯＳＤ情報が重畳される。ビデオ信号処理回路３から出力される映像信号は、ＬＣＤパネル（液晶ディスプレイ）４に送られて映像出力される。地上波アナログチューナ２によって得られた音声信号は、音声信号処理回路５を介してスピーカ６に送られて、音声出力される。
【００２４】
地上波アナログチューナー２、ビデオ信号処理回路３および音声信号処理回路５はマイコン１０によって制御される。マイコン１０は、ＣＰＵ１１、ＯＳＤ回路１２等を備えている。マイコン１０には、テレビジョン受像機本体に設けられた操作部（本体操作部）２１が接続されている。また、マイコン１０には、リモコン３０からのリモコン信号（光信号）を電気信号に変換するための受光部２２が接続されている。                            
【００２５】
リモコン３０は、図２に示すように、ナイトモードキー３１、複数の数値キー、カーソルキー等が設けられている。
【００２６】
このテレビジョン受像機では、ナイトモードキー操作によって、ＬＣＤパネル４のバックライトの明るさ（映像の明るさ）および音量を一定量だけ低下させたり、予め設定された時間帯については、バックライトの明るさおよび音量を自動的に一定量だけ低下させたりできるようになっている。このような機能をナイトモード機能という。ナイトモード機能によりバックライトの明るさおよび音量が一定量だけ低下せしめられた状態をナイトモードＯＮ状態（第２モード）と呼び、ナイトモードＯＮ状態が解除されている状態（通常の状態）をナイトモードＯＦＦ状態（第１モード）と呼ぶことにする。
【００２７】
時間帯によるナイトモードのＯＮ／ＯＦＦの切り換え制御を行なうか否か、ナイトモードＯＮ状態移行時でのバックライトの明るさの減少値および音量の減少値、ならびに時間帯によるナイトモードのＯＮ／ＯＦＦの切り換え制御を行なう場合においてナイトモードをＯＮ状態にさせる時間帯は、ナイトモード機能設定画面（ＯＳＤ画面）上でユーザが設定できるようになっている。つまり、ユーザは、リモコン３０を操作することにより、図３に示すようなナイトモード機能設定画面を表示させ、このナイトモード機能設定画面上で上記のような設定を行なう。図３において、▲印は現在設定中のカーソルの位置を示している。
【００２８】
ナイトモード機能設定画面上で、「時計連動する」を選択した場合には、ナイトモードキー操作によるナイトモードのＯＮ／ＯＦＦの切り換え制御の他、時間帯によるナイトモードのＯＮ／ＯＦＦの切り換え制御が行なわれる。「時計連動する」を選択しない場合には、ナイトモードキー操作によるナイトモードのＯＮ／ＯＦＦの切り換え制御のみが行なわれる。
【００２９】
「バックライトの明るさ」の項目は、ナイトモードＯＮ状態でのバックライトの明るさの減少値を設定するための項目である。「音量」の項目は、ナイトモードＯＮ状態での音量の減少値を設定するための項目である。「開始時刻」および「終了時刻」の項目は、「時計連動する」を選択した場合において、ナイトモードをＯＮ状態にする時間帯の開始時刻と終了時刻を設定するための項目である。
【００３０】
図４は、マイコン１０によって行なわれるナイトモード切り換え制御処理手順を示している。
【００３１】
まず、ナイトモード切り換え制御処理で用いられるフラグＦ１、Ｆ２、Ｆ３について説明する。
【００３２】
フラグＦ１はナイトモードがＯＮ状態であるか否かを記憶するフラグであり、フラグＦ１がセット（Ｆ１＝１）されていればナイトモードがＯＮ状態であることを示し、フラグＦ１がリセット（Ｆ１＝０）されていれば、ナイトモードがＯＦＦ状態であることを示している。
【００３３】
フラグＦ２は、ナイトモードキー３１のキー操作に基づいてナイトモードがＯＮ状態にされたことを記憶するフラグであり、フラグＦ２がセット（Ｆ２＝１）されていればナイトモードキー３１のキー操作に基づいてナイトモードがＯＮ状態にされたことを示し、フラグＦ２がリセット（Ｆ２＝０）されていれば、ナイトモードキー３１のキー操作に基づいてナイトモードがＯＮ状態にされていないことを示している。
【００３４】
フラグＦ３は、ナイトモードキー３１のキー操作に基づいてナイトモードがＯＦＦ状態にされたことを記憶するフラグであり、フラグＦ３がセット（Ｆ３＝１）されていればナイトモードキー３１のキー操作に基づいてナイトモードがＯＦＦ状態にされたことを示し、フラグＦ３がリセット（Ｆ３＝０）されていれば、ナイトモードキー３１のキー操作に基づいてナイトモードがＯＦＦ状態にされていないことを示している。
【００３５】
なお、電源オン時には、初期化処理により、各フラグＦ１、Ｆ２、Ｆ３は、リセット（Ｆ１＝Ｆ２＝Ｆ３＝０）される。また、電源オフ時において、ナイトモードがＯＮ状態である場合には、バックライトの明るさおよび音量は元の状態（ナイトモードがＯＮ状態とされる前の状態）に戻される。
【００３６】
ナイトモード切り換え制御処理では、まず、ナイトモードキー３１が押されたか否かを判別する（ステップＳ１）。ナイトモードキー３１が押された場合には、フラグＦ１の状態に基づいて、ナイトモードがＯＮ状態であるか否かを判別する（ステップＳ２）。ナイトモードがＯＦＦ状態（Ｆ１＝０）であれば、ナイトモードをＯＮ状態にする（ステップＳ３）。つまり、現在のバックライトの明るさおよび音量をナイトモードＯＮ状態前の明るさおよび音量として記憶するとともに、バックライトの明るさおよび音量を設定値（  ナイトモード機能設定画面上で設定された減少値）だけ低下させる。また、フラグＦ１およびＦ２をセット（Ｆ１＝Ｆ２＝１）するとともに、フラグＦ３をリセット（Ｆ３＝０）する（ステップＳ４）。そして、ステップＳ１に戻る。
【００３７】
上記ステップＳ２において、ナイトモードがＯＮ状態（Ｆ１＝１）であると判別した場合には、ナイトモードをＯＦＦ状態にする（ステップＳ５）。つまり、バックライトの明るさおよび音量をナイトモードがＯＮ状態にされる前の状態（ナイトモードＯＮ状態前の明るさおよび音量として記憶されている値）に戻す。また、フラグＦ１およびＦ２をリセット（Ｆ１＝Ｆ２＝０）するとともに、フラグＦ３をセット（Ｆ３＝１）する（ステップＳ６）。そして、ステップＳ１に戻る。
【００３８】
ステップＳ１において、ナイトモードキー３１が押されていないと判別した場合には、「時計連動する」の設定が行なわれているか否かを判別する（ステップＳ７）。「時計連動する」の設定が行なわれていない場合には、ステップＳ１に戻る。
【００３９】
上記ステップＳ７において、「時計連動する」の設定が行なわれていると判別した場合には、フラグＦ１の状態に基づいて、ナイトモードがＯＮ状態であるか否かを判別する（ステップＳ８）。ナイトモードがＯＦＦ状態（Ｆ１＝０）であれば、現在時刻がナイトモードの設定時間帯内（ナイトモードをＯＮ状態にする時間帯内）であるか否かを判別する（ステップＳ９）。現在時刻がナイトモードの設定時間帯内でなければ、ステップＳ１に戻る。ナイトモードの設定時間帯内であれば、現在時刻がナイトモードの設定時間帯の開始時刻か否かを判別する（ステップＳ１０）。
【００４０】
現在時刻がナイトモードの設定時間帯の開始時刻でなければ、ステップＳ１２に進み、フラグＦ３の状態に基づいて、ナイトモードがＯＦＦ状態となっている要因がナイトモードキー操作にあるか否かを判別する。ナイトモードがＯＦＦ状態となっている要因がナイトモードキー操作にあると判別した場合（Ｆ３＝１）には、ステップＳ１に戻る。ナイトモードがＯＦＦ状態となっている要因がナイトモードキー操作ではないと判別した場合（Ｆ３＝０）には、ナイトモードをＯＮ状態にする（ステップＳ１３）。つまり、現在のバックライトの明るさおよび音量をナイトモードＯＮ状態前の明るさおよび音量として記憶するとともに、バックライトの明るさおよび音量を設定値だけ低下させる。また、フラグＦ１をセット（Ｆ１＝１）するとともに、フラグＦ２およびＦ３をリセット（Ｆ２＝Ｆ３＝０）する（ステップＳ１４）。
【００４１】
上記ステップＳ１０において、現在時刻がナイトモードの設定時間帯の開始時刻であると判別した場合には、フラグＦ３をリセット（Ｆ３＝０）にした後（ステップＳ１１）、ステップＳ１２に進む。この場合には、ステップＳ１２では、必ずＮＯとなるため、ステップＳ１３に進み、ナイトモードがＯＮ状態にされる。
【００４２】
上記ステップＳ８において、ナイトモードがＯＮ状態（Ｆ１＝１）であると判別した場合には、フラグＦ２の状態に基づいて、ナイトモードがＯＮ状態となっている要因がナイトモードキー操作にあるか否かを判別する（ステップＳ１５）。
【００４３】
ナイトモードがＯＮ状態となっている要因がナイトモードキー操作にある（Ｆ２＝１）と判別した場合には、ステップＳ１に戻る。ナイトモードがＯＮ状態となっている要因がナイトモードキー操作ではない（Ｆ２＝０）と判別した場合には、現在時刻がナイトモードの設定時間帯内であるか否かを判別する（ステップＳ１６）。
【００４４】
現在時刻がナイトモードの設定時間帯内である場合には、ステップＳ１に戻る。現在時刻がナイトモードの設定時間帯内でない場合には、ナイトモードをＯＦＦ状態にする（ステップＳ１７）。つまり、バックライトの明るさおよび音量をナイトモードがＯＮ状態にされる前の状態（ナイトモードＯＮ状態前の明るさおよび音量として記憶されている値）に戻す。また、フラグＦ１、Ｆ２およびＦ３をリセット（Ｆ１＝Ｆ２＝Ｆ３＝０）する（ステップＳ１８）。そして、ステップＳ１に戻る。
【００４５】
上記実施例では、ナイトモードがＯＦＦ状態にある場合に、ナイトモードキー３１が押されるとナイトモードがＯＮ状態にされ、ナイトモードがＯＮ状態にある場合に、ナイトモードキー３１が押されるとナイトモードがＯＦＦ状態にされる。ナイトモードがＯＦＦ状態にある場合に、現在時刻がナイトモードの設定時間帯の開始時刻になると、ナイトモードがＯＮ状態にされる。ナイトモードがＯＮ状態にある場合に、ナイトモードの設定時間帯外になった場合には、ナイトモードがＯＮ状態になった要因がナイトモードキーでなければ、ナイトモードがＯＦＦ状態にされる。
【００４６】
なお、現在時刻がナイトモードの設定時間帯の開始時刻になったことにより、ナイトモードがＯＮ状態にされた場合においても、ナイトモードキーが押されると、ナイトモードがＯＦＦ状態にされる。
【００４７】
つまり、ナイトモードの設定時間帯に基づくナイトモードのＯＮ／ＯＦＦ制御よりも、ナイトモードキーに基づくナイトモードのＯＮ／ＯＦＦ制御の方が優先されている。ただし、ナイトモードの設定時間帯の開始時刻になった場合には、ナイトモードが必ずＯＮ状態にされるようになっている。
【００４８】
なお、ナイトモードがＯＮ状態にある場合に、ナイトモードの設定時間帯外になった場合には、ナイトモードがＯＮ状態になった要因にかかわらず、ナイトモードをＯＦＦ状態にさせるようにしてもよい。このようにするためには、上記ステップ１５を省略し、ステップＳ８でＹＥＳの場合に、ステップＳ１６に移行させればよい。
【００４９】
ナイトモードの機能設定は、ナイトモードがＯＮ状態の場合にも行なえるようにしてもよい。また、ナイトモードがＯＮ状態である場合にも、映像メニューによってバックライトの明るさを変更してもよいし、通常の音量操作も可能とするようにしてもよい。
【００５０】
上記実施例では、ナイトモードをＯＦＦ状態にする際には、、バックライトの明るさおよび音量をナイトモードをＯＮ状態にする前の状態に戻しているが、ＯＮ状態にする前の状態に戻さなくてもよい。
【００５１】
ナイトモードをＯＮ状態に切り換える際またはナイトモードをＯＦＦ状態に切り換える際には、その旨を表示するようにしてもよい。
【００５２】
ナイトモードキーを操作した場合には、最初はナイトモードのＯＮ／ＯＦＦ状態を切り換えることなく、現在のナイトモードのＯＮ／ＯＦＦ状態のみを表示し、その表示中に再度ナイトモードキーを操作した場合にナイトモードのＯＮ／ＯＦＦ状態を切り換えるようにしてもよい。
【００５３】
また、ナイトモードＯＮ状態になったときに、バックライトの明るさや音量以外の項目（例えば、コントラスト）を変更するようにしてもよい。なお、ナイトモードキーを、単にバックライトの明るさおよび音量を設定された減少値のみ減少させるためのキーとして用いるようにしてもよい。
【図面の簡単な説明】
【００５４】
【図１】液晶ディスプレイを備えたテレビジョン受像機の構成を示すブロック図である。
【図２】リモコン３０に設けられたキーを示す模式図である。
【図３】ナイトモード機能設定画面の一例示す模式図である。
【図４】マイコン１０によって行なわれるナイトモード切り換え制御処理の手順を示すフローチャートである。
【符号の説明】
【００５５】
１  アナログ用アンテナ
２  地上波アナログチューナ
３  ビデオ信号処理回路
４  ＬＣＤパネル
５  音声信号処理回路
６  スピーカ
１０  マイコン
３０  リモコン
３１  ナイトモードキー
【図１】
2006340249.tif 000003
【図２】
2006340249.tif 000004
【図３】
2006340249.tif 000005
【図４】
2006340249.tif 000006